(57)【要約】【課題】カバー外から報知手段を視認可能な給水装置を提供すること。【解決手段】給水装置１は、モータ１２ａを有するポンプ１２と、発光可能なＬＥＤ３２を有し、ＬＥＤ３２の発光により情報を報知する報知手段２１を具備する制御盤１５と、ポンプ１２、検出装置１４及び制御盤１５を上面に配置する基部１０と、基部１０を覆うとともに、報知手段２１を視認可能な位置に透光性を有する窓部１６ｂを具備するカバー１６と、を備える。【選択図】      図１
2016217153.tif 000002
【特許請求の範囲】
【請求項１】
モータを有するポンプと、
発光可能なＬＥＤを有し、前記ＬＥＤの発光により情報を報知する報知手段を具備する制御盤と、
前記ポンプ及び前記制御盤を上面に配置する基部と、
前記基部を覆うとともに、前記報知手段を視認可能な位置に透光性を有する窓部を具備するカバーと、
を備えることを特徴とする給水装置。
【請求項２】
前記報知手段は、前記制御盤の前記カバーの側面と対向する面であって、且つ、前記カバーの前面及び上面側に配置され、
前記窓部は、前記カバーの前記報知手段と対向する前記側面、前記前面及び前記上面の稜部に配置されることを特徴とする請求項１に記載の給水装置。
【請求項３】
前記カバーは、前記前面及び前記上面の稜部に傾斜面を有し、
前記窓部は、前記カバーの前記報知手段と対向する前記側面、前記前面、前記上面及び前記傾斜面の稜部に配置されることを特徴とする請求項２に記載の給水装置。
【請求項４】
前記カバーは、一方が透光性を有する異なる２つの樹脂材料による樹脂二色成形により成形されることを特徴とする請求項１に記載の給水装置。
【請求項５】
前記カバーは、前記窓部が別部品により構成されることを特徴とする請求項１に記載の給水装置。
【請求項６】
前記ポンプの一次側又は二次側に設けられ、圧力、流量及び温度の少なくとも一の情報を検出可能な検出装置をさらに備え、
前記制御盤は、前記ポンプを制御する制御部を備え、
前記制御部は、前記検出装置により検出された情報に基づいて、前記ポンプを駆動するとともに、前記ポンプの駆動状況を前記報知手段により報知することを特徴とする請求項１に記載の給水装置。
【発明の詳細な説明】
【技術分野】
【０００１】
本発明は、水を二次側に給水する給水装置に関する。
【背景技術】
【０００２】
水を供給する給水装置として、例えば、ポンプ、モータ及び制御盤等がベース上に一体に設けられ、カバーに覆われる給水装置が知られている（例えば、特許文献１参照）。このような給水装置は、制御盤にポンプの駆動状況や故障状況等を表示するＬＥＤにより構成される報知手段を備え、報知手段のＬＥＤを点灯、点滅又は消灯することによってポンプ状況を報知する技術が知られている。
【先行技術文献】
【特許文献】
【０００３】
【特許文献１】特開２００９-２７０４６２号公報
【発明の概要】
【発明が解決しようとする課題】
【０００４】
上述した給水装置では、以下の問題があった。即ち、給水装置は、外部環境、例えば雨水、風及び紫外線等から各構成品を守るために、ベース上に配置されるポンプ、モータ、検出装置及び制御盤等がカバーにより覆われる。
【０００５】
このため、外部から給水装置の内部を視認することができず、制御盤に設けられた報知手段を視認するためには、カバーを取り外す必要がある。カバーは、ベース上にボルトやクランプ等で固定されることから、カバーの取り外し作業の作業性が悪い。
【０００６】
そこで本発明は、カバー外から報知手段を視認可能な給水装置を提供することにある。
【課題を解決するための手段】
【０００７】
前記課題を解決し目的を達成するために、本発明の給水装置は次のように構成されている。
【０００８】
本発明の一態様として、モータを有するポンプと、前記ポンプの一次側又は二次側に設けられ、圧力、流量及び温度の少なくとも一の情報を検出可能な検出装置と、発光可能なＬＥＤを有する報知手段を具備する制御盤と、前記ポンプ、前記検出装置及び前記制御盤を上面に配置する基部と、前記基部を覆うとともに、前記報知手段を視認可能な位置に透光性を有する窓部を具備するカバーと、を備える。
【発明の効果】
【０００９】
本発明によれば、カバー外から報知手段を視認可能な給水装置を提供することが可能となる。
【図面の簡単な説明】
【００１０】
【図１】本発明の一実施形態に係る給水装置の構成を示す分解斜視図。
【図２】同給水装置の構成を示す斜視図。
【発明を実施するための形態】
【００１１】
以下、本発明の一実施形態に係る給水装置１を、図１及び図２を用いて説明する。  
図１は本発明の一実施形態に係る給水装置１の構成であって、カバー１６を基部１０から取り外した状態を示す分解斜視図、図２は給水装置１の構成を示す斜視図である。
【００１２】
図１及び図２に示すように、給水装置１は、基部１０と、基部１０に設けられた流路部１１と、流路部１１の中途部に設けられたポンプ１２と、流路部１１の中途部に設けられたアキュムレータ１３と、流路部１１上に設けられた検出装置１４と、ポンプ１２の制御を行なう制御盤１５と、カバー１６と、を備えている。
【００１３】
給水装置１は、基部１０の上面に流路部１１、ポンプ１２、アキュムレータ１３、検出装置１４及び制御盤１５が配置されるとともに、基部１０の上方がカバー１６により覆われることで一体のユニットを構成する。また、給水装置１は、制御盤１５によりポンプ１２が制御されることで、供給対象の流体である水を二次側に供給（給水）可能に形成されている。
【００１４】
流路部１１は、基部１０上に設けられ、その一次側が給水源に接続されるとともに、その二次側が給水先に接続される、配管部である。流路部１１は、例えば、その中途部に、自給用の自吸室が形成される。
【００１５】
ポンプ１２は、流路部１１の中途部であって、自吸室の一次側に配置される。ポンプ１２は、制御盤１５に信号線を介して接続されたモータ１２ａを備えている。ポンプ１２は、モータ１２ａが駆動することで、流路部１１内の水を揚水可能に形成されている。アキュムレータ１３は、例えば、流路部１１であって、且つ、ポンプ１２の二次側に設けられる。
【００１６】
検出装置１４は、流路部１１であって、且つ、ポンプ１２の二次側に設けられる。検出装置１４は、ポンプ１２から吐出された水の圧力、流量又は温度等を検出可能に構成されている。検出装置１４は、信号線を介して制御盤１５に接続される。検出装置１４は、検出した情報を、信号線を介して制御盤１５に送信可能に構成されている。
【００１７】
制御盤１５は、報知手段２１と、記憶部２２と、通信インターフェイス（通信Ｉ／Ｆ）２３と、制御部２４と、を備えている。また、制御盤１５は、外部電力をモータ１２ａや制御部２４に供給するための電源部２５を備えている。
【００１８】
報知手段２１は、電源のＯＮ／ＯＦＦを表示する第１表示部３１と、ポンプ状況を表示する第２表示部３２と、を備えている。報知手段２１は、例えば、制御盤１５の外郭体のカバー１６の側面と対向する面であって、且つ、カバー１６の前面側及び上面側に位置して配置される。
【００１９】
第１表示部３１は、単色、例えば赤色のＬＥＤにより構成される。第１表示部３１は、点灯及び消灯によって、電源のＯＮ／ＯＦＦを報知可能に形成されている。
【００２０】
第２表示部３２は、単色又は多色のＬＥＤにより構成される。第２表示部３２は、例えば、赤色、青色及び緑色の組み合わせにより複数の発光が可能に構成された３色のＬＥＤである。第２表示部３２は、複数色の組み合わせ及び点灯、点滅及び消灯によって、ポンプの駆動状況や各構成品の故障状況等の情報を報知可能に構成される。
【００２１】
記憶部２２は、ポンプ１２の駆動プログラムが記憶されている。ポンプ１２の駆動プログラムとして、例えば、ポンプ１２を目標圧力となるように運転する通常運転、ポンプ１２の圧力を目標圧力よりも低い圧力となるように運転する省エネ運転、及び、外気温が低いときに凍結を防止するための、小水量で運転する凍結防止運転等が記憶部２２に記憶される。
【００２２】
記憶部２２は、ポンプ１２の運転状況や各種異常状況であるポンプ状況を判断する閾値が複数記憶されている。記憶部２２は、第２表示部３２の各色の発光に対応したポンプ状況が記憶されている。記憶部２２は、ポンプ状況、即ち、駆動したポンプ１２の運転状況や発生した各構成品の故障及び異常等の異常状況を記憶可能に構成されている。
【００２３】
記憶部２２は、第２表示部３２で発光する複数の色に対して、ポンプ状況を割り当てた情報が記憶されている。
【００２４】
通信Ｉ／Ｆ２３は、通信ケーブル等を介して外部の情報処理装置に接続可能に形成されている。
【００２５】
制御部２４は、検出装置１４で検出した圧力、流量又は温度に基づいて、記憶部２２に記憶された駆動プログラムによりポンプ１２を駆動可能に形成されている。
【００２６】
制御部２４は、記憶部２２に記憶された各閾値と検出装置１４で検出された各種情報、制御盤１５内の電流及び電圧値とを比較することで、各構成品の異常状況を判断する機能を有している。制御部２４は、判断した各異常状況及び現在のポンプ１２の駆動状況であるポンプ状況に応じて、第２表示部３２を記憶部２２に記憶された色で発光させる機能を有している。
【００２７】
また、制御部２４は、各異常状況及び過去のポンプ１２の駆動状況等の情報を、通信Ｉ／Ｆ２３に接続された情報処理装置に送信可能に構成される。
【００２８】
カバー１６は、例えば、クランプや螺子等の締結部材により、基部１０に着脱自在に形成される。カバー１６は、基部１０上に固定され、基部１０上の各構成品を覆う。
【００２９】
カバー１６は、一面が開口し、且つ、内部に収容部を有する立方体状又は長方体状に形成される。カバー１６は、例えば、その前面及び上面の稜部が面取り状に傾斜する傾斜面が形成される。
【００３０】
カバー１６は、流路部１１の吸込口及び吐出口、電源部２５を外部に露出させるための開口部１６ａを複数有している。流路部１１の吸込口及び吐出口を露出さえる開口部１６ａは、例えば、少なくともカバー１６の前面に設けられる。なお、流路部１１の吸込口及び吐出口が複数設けられる場合には、他面にさらに開口部１６ａを設ける構成であってもよい。
【００３１】
カバー１６は、有色、例えば白色の樹脂材料により構成されるとともに、透光性を有する窓部１６ｂを備えている。
【００３２】
窓部１６ｂは、少なくとも制御盤１５の報知手段２１が外部から視認できる位置に配置される。窓部１６ｂは、例えば、制御盤１５の報知手段２１が設けられた近傍のカバー１６の稜部に少なくとも設けられる。
【００３３】
具体的には、窓部１６ｂは、制御盤１５と対向する側面、前面、上面及び傾斜面の稜部に設けられる。窓部１６ｂは、第２表示部３２で表示する光が視認可能な透光性を有する樹脂材料、具体的には透明又は半透明の樹脂材料により形成される。
【００３４】
このようなカバー１６は、樹脂成形により形成される。例えば、カバー１６は、一方が透光性を有する異なる二種類の樹脂材料を用いた樹脂二色成形により、有色の部位と窓部１６ｂを一体成形する。
【００３５】
このように構成された給水装置１によれば、カバー１６の一部に透光性を有する窓部１６ｂを設ける構成とすることで、報知手段２１の第１表示部３１及び第２表示部３２の報知情報を視認することができる。これにより、カバー１６を基部１０から取り外すことなく、報知手段２１で報知される情報を外部から確認することが可能となる。結果、給水装置１の状態の確認が容易となる。
【００３６】
また、窓部１６ｂは、少なくとも制御盤１５の報知手段２１の近傍、さらに言えば、カバー１６の稜部に設けられる構成により、少ない範囲で高い視認範囲を有することが可能となる。これにより、透光性を有する窓部１６ｂの範囲を極力低減することが可能となる。特に、透光性を有する樹脂材料で形成される窓部１６ｂがカバー１６の有色の他部よりも材料コストが高い場合には、カバー１６の製造コストを極力抑えることが可能となる。
【００３７】
上述したように、本発明の一実施形態に係る給水装置１によれば、カバー１６の制御盤１５と近傍する位置に透光性を有する窓部１６ｂを有することで、カバー１６外から報知手段２１の報知情報を視認することが可能となる。
【００３８】
なお、本発明は前記実施の形態に限定されるものではない。例えば、上述した例では、第２表示部３２に３色のＬＥＤを用いる構成を説明したが、表示を要する複数のポンプ状況を表示であれば、３色に限らず、適宜設定可能である。また、第２表示部３２を複数有する構成であってもよい。
【００３９】
また、上述した例では、窓部１６ｂは、樹脂二色成形によりカバー１６に設ける構成を説明したがこれに限定されない。例えば、カバー１６は、予め窓部１６ｂのみを別部品として形成し、当該窓部１６ｂを金型内にインサートすることで樹脂成形により一体成形することで製造する構成であってもよい。
【００４０】
また、カバー１６は、窓部１６ｂを別部品とし、カバー１６に設けられた開口に接着、嵌合又は締結部材により接合する構成であってもよい。但し、組み立て工程及び部品点数が増加することから、樹脂成形により窓部１６ｂを有するカバー１６を製造する構成が望ましい。
【００４１】
また、上述した例では、検出装置１４は、圧力、流量又は温度を検出可能な構成を説明したがこれに限定されない。例えば、検出装置１４は、圧力及び流量のみを検出可能な構成であってもよく、他の情報を検出可能な構成であってもよい。また、検出装置１４は、各情報を検出可能に複数設けられる構成であってもよい。
【００４２】
また、上述した例では、第２表示部３２の発光や色やポンプ状況は例示に過ぎず、給水装置１の機能等により適宜設定可能である。この他、本発明の要旨を逸脱しない範囲で種々変形実施可能である。
【符号の説明】
【００４３】
１…給水装置、１０…基部、１１…流路部、１２…ポンプ、１２ａ…モータ、１３…アキュムレータ、１４…検出装置、１５…制御盤、１６…カバー、１６ａ…開口部、１６ｂ…窓部、２１…報知手段、２２…記憶部、２３…通信インターフェイス（通信Ｉ／Ｆ）、２４…制御部、２５…電源部、３１…第１表示部、３２…第２表示部。
【図１】
2016217153.tif 000003
【図２】
2016217153.tif 000004